(57)【特許請求の範囲】
【請求項１】
入水した水を燃焼加熱して出湯すると共に、燃焼した排気ガスを排気口より排出する送風ファンとを有する燃焼装置であって、温度を検出する温度センサと、前記温度センサが寒冷状態である所定温度以下の温度を検出したときには、前記送風ファンのみを作動させて排気口より外部へ送風を行い排気口付近の積雪を除去する保守制御手段と、を具備したことを特徴とする燃焼装置。
【請求項２】
入水した水を燃焼加熱して出湯すると共に、燃焼した排気ガスを排気口より排出する送風ファンとを有する燃焼装置であって、温度を検出する温度センサと、前記温度センサが寒冷状態である所定温度以下の温度を検出したときには、前記送風ファンのみの作動を定期的に行い、燃焼装置の排気口より外部へ送風を行い排気口付近の積雪を除去する保守制御手段と、を具備したことを特徴とする燃焼装置。
【発明の詳細な説明】
【発明の属する技術分野】
本発明は、例えば給湯器等の燃焼装置に関し、特に寒冷地において利用するのに適した燃焼装置に関する。
【０００２】
【従来の技術】
従来、この種の燃焼装置としては、水を入水し燃焼加熱して湯を台所、洗面、浴室等の各種場所に提供し、非常に便利に利用されている。
【０００３】
【発明が解決しようとする課題】
従来、このような燃焼装置が存在するものの、寒冷地において使用する場合には次のような問題が生じてしまうことが考えられる。
【０００４】
例えば、積雪の多い地域で用いた場合、図４に示すように燃焼室１を内部に有する燃焼装置の排気口１５付近に雪が積もり、排気が十分にできず、燃焼量に対する空気量が適切な量からずれてしまう恐れがある。
【０００５】
そこで、本発明はこのような問題点に鑑みてなされたものであって、排気口付近に雪が積もった場合であっても排気状態を良好に確保することを実現した燃焼装置の提供を目的とする。
【０００６】
【課題を解決するための手段】
上記目的を達成するために、請求項１記載の発明は、入水した水を燃焼加熱して出湯すると共に、燃焼した排気ガスを排気口より排出する送風ファンとを有する燃焼装置であって、温度を検出する温度センサと、前記温度センサが寒冷状態である所定温度以下の温度を検出したときには、前記送風ファンのみを作動させて排気口より外部へ送風を行い排気口付近の積雪を除去する保守制御手段と、を具備したことを特徴としている。
【０００７】
請求項１記載の発明によれば、温度センサが寒冷状態を検知すれば送風ファンを作動させて排気口から外部へ送風を行うため、排気口付近の積雪を防止することができ、また排気口付近に積もった雪を吹きとばし除去することができる。
【０００８】
請求項２記載の発明によれば、入水した水を燃焼加熱して出湯すると共に、燃焼した排気ガスを排気口より排出する送風ファンとを有する燃焼装置であって、温度を検出する温度センサと、前記温度センサが寒冷状態である所定温度以下の温度を検出したときには、前記送風ファンのみの作動を定期的に行い、燃焼装置の排気口より外部へ送風を行い排気口付近の積雪を除去する保守制御手段と、を具備したことを特徴とする。
【０００９】
請求項２記載の発明によれば、温度センサが寒冷状態を検知すれば、送風ファンの作動を行って、排気口から外部に送風するため、排気口付近の積雪を防止することができる。また、排気口付近に積もった雪があればその雪を吹き飛ばしたりすることができる。また、その動作は定期的に行うため省エネを実現しつつ行うことができる。
【００１０】
【発明の実施の形態】
以下、本発明の実施例について図面を参照して説明する。この実施例は本発明の燃焼装置を給湯器に適用したものである。
【００１１】
図１が本発明の燃焼装置の構成を示したものである。
【００１２】
このガス燃焼装置では、燃焼管２を内設した燃焼室１と、燃焼室１の燃焼管２にガス管３からノズルホルダ５を介して燃料ガスを供給するガスノズル４と、燃焼室１の底部に設けられて燃焼管２の内外に燃焼用空気を供給する給排気用ファン６と、燃焼室１内の空気混合ガスに着火する着火手段７（イグナイタ８及び点火プラグ９）とを具備して構成されている。なお、１０はガス管３の途中に設けたガス電磁弁を示す。また、１１は燃焼室１の上方に配設された熱交換器で、給湯用配管１２が通されている。１５は排気口を示す。
【００１３】
このガス燃焼機器には湯沸器としての運転動作を制御するマイクロコンピュータ等で構成した制御部２０が設けられている。制御部２０は運転信号を出力し、この運転信号による指令に基づいて前記ファン６、ガス弁１０及び着火手段７（イグナイタ８）の各作動状態がＯＮ・ＯＦＦに切り換えられる。なお制御部２０は、前記給湯用配管１２に設けられる流水スイッチ（図示せず）からのスイッチ信号を入力して、該スイッチ信号の切り換わりに同期して運転信号がＯＮ・ＯＦＦ切り換えられる。
【００１４】
また、燃焼室１内の燃焼管２の上方には、サーモカップル１３が設けられており、その出力が制御部２０に出力されてその状態により燃焼室内の着火及び消化を検出している。このサーモカップル１３が着火検出手段及び消火検出手段に相当する。
【００１５】
また、この燃焼装置にはその周辺の温度を検出する温度センサ１６が設けられており、その検出出力は逐次制御部２０に入力されている。
【００１６】
また、制御部２０には利用者が操作するリモートコントローラ３０が接続されており、このリモートコントローラ３０により操作された運転オン・オフ、設定温度等の情報により、制御部２０が各部の制御を行い、所望の燃焼制御を実行する。
【００１７】
次に、制御部２０について詳細に説明する。制御部２０は、着火制御手段２１、給湯制御手段２２、保守制御手段２３、タイマ手段２４及びその他の制御手段２５を有して構成されている。着火制御手段２１は、リモートコントローラ３０からの運転オン信号があった場合等、燃焼開始時に着火手段７であるイグナイタ８及び点火プラグ９を制御して着火動作を行うものである。給湯制御手段２２は、リモートコントローラ３０の設定温度情報等を基に、ガス量を調整したり、空燃比を適切に行うためにファン６の回転数を調節制御したりする手段である。保守制御手段２３は、通常の給湯制御動作時以外に動作する手段であって、寒冷地で用いる場合には排気口１５付近に雪が積もって排気不良状態となるのを防止するための動作を制御する手段である。タイマ手段２４は、所定時間を計時する計時手段である。その他の制御手段２５は、上述以外の動作を制御する手段であり、リモートコントローラ３０側とのデータの伝送を制御したり、センサ等１３、１６の検出出力の入力等の制御を行っている。
【００１８】
次に、寒冷地で用いる場合等の対策として行う保守制御手段２３の制御動作について図２のフローチャートを参照して行う。まず、温度センサ１６の検出温度を監視しており、その検出温度が所定温度（Ｔ０）以下か否かを判断している（ステップＳ１、Ｓ２）。所定温度（Ｔ０）よりも高ければステップＳ１に戻り、所定温度（Ｔ０）以下であれば次にタイマ手段２４がタイマ（ｔ１）を始動し（ステップＳ３）、そのタイマが所定時間（ｔ１）をカウントするまでファン６を作動すると共に、着火制御手段２１を動作させて燃焼動作を行う（ステップＳ４、Ｓ５）。これにより、排気口１５からは熱風が送風されるため、排気口付近に雪が積もるのを防止することができ、多少積もっている場合であっても熱風により吹き飛ばしたり融かしたりして積雪を除くことができる。そして、次にタイマを始動し、タイマ手段２４が所定時間（ｔ２）をカウントするまで停止し（ステップＳ７、Ｓ８）、ステップＳ１に戻る。これにより、間欠的に積雪対策の保守動作を行うため省エネルギーを実現しつつ行うことができる。この間欠的に行う動作タイミングを示したのが図３である。
【００１９】
なお、上記実施形態においては、保守制御手段２３による動作の際に、ステップＳ４及びＳ５においてファンを作動すると共に燃焼動作も併せて行い、熱風を排気口５に送風するようにしているが、ステップＳ５を省略して単にファンのみ駆動するようにしてもよい。この場合、排気口５の積雪を除去する効果は減少するが、動作が簡単となり、燃料も節約できる。そして、積雪量が少ない場合にはこの動作でも効果は期待できる。
【００２０】
また、上記実施形態においては、排気口５に積雪で閉塞しないようにする図２のフローチャートの動作は、ステップＳ７、Ｓ８において間欠的に行うようにしているが、ステップＳ２で必要と判断された場合には常時行うようにしてもよい。但し、間欠的に行う方が省エネの観点からは望ましい。
【００２１】
【発明の効果】
以上説明したように請求項１記載の発明によれば、温度センサが寒冷状態を検知すれば、送風ファンを作動させて排気口から外部へ送風を行うため、排気口付近の積雪を防止することができ、また排気口付近に積もった雪を吹きとばし除去することができる効果がある。
【００２２】
請求項２記載の発明によれば、温度センサが寒冷状態を検知すれば、送風ファンの作動を行って、排気口から外部に送風するため、排気口付近の積雪を防止することができる効果がある。また、排気口付近に積もった雪があればその雪を吹き飛ばしたりできる効果がある。更には、この動作を定期的に行うため省エネを実現しつつ行うことができる効果がある。
【図面の簡単な説明】
【図１】燃焼装置の概要を示した説明図である。
【図２】本発明の動作を示すフローチャートである。
【図３】保守動作をオン・オフするタイミングを示す説明図である。
【図４】従来例の説明図である。
【符号の説明】
１  燃焼室
２  燃焼管
４  ガスノズル
７  着火手段
２０  制御部
２１  着火制御手段
２２  給湯制御手段
２３  保守制御手段
２４  タイマ手段
２５  その他の制御手段
３０  リモートコントローラ
【図１】
0003713693.tif 000002
【図２】
0003713693.tif 000003
【図３】
0003713693.tif 000004
【図４】
0003713693.tif 000005